(57)【要約】      （修正有）【課題】より高い画素データ速度で出力する撮像素子を使った分離型高速度ビデオカメラにおいて、カメラケーブルの太さが十分取扱い易い細さになる分離型高速度ビデオカメラを提供する。【解決手段】本考案の分離型高速度ビデオカメラは、撮像素子部３と半導体メモリの録画部およびその制御部４を有するカメラヘッド１と、カメラ制御部１０とビデオ変換部８と電源部１２を有するカメラ本体部２と、それらを接続するカメラケーブル６で構成される。【選択図】図１
0003213024.tif 000002
【実用新案登録請求の範囲】
【請求項１】
撮像素子と半導体メモリの録画部およびその制御部を有するカメラヘッドと、カメラ制御部とビデオ変換部と電源部を有するカメラ本体部と、それらを接続するカメラケーブルで構成されることを特徴とする分離型高速度ビデオカメラ。
【請求項２】
高い画素データ速度で出力する撮像素子と撮影時間中のすべての動画映像を記録する大容量の半導体メモリの録画部およびその制御部を有するカメラヘッドと、カメラ制御部とビデオ変換部と電源部を有するカメラ本体部と、それらを接続するカメラケーブルで構成されることを特徴とする分離型高速度ビデオカメラ。  
【請求項３】
互に分離されたカメラヘッド及びカメラ本体部と、上記カメラヘッドとカメラ本体部間を接続するカメラケーブルとより成り、上記カメラヘッドが、高い画素データ速度で出力する撮像素子部と、この撮像素子部からの動画映像を記録する大容量の半導体メモリの録画部およびこの録画部から出力される画素データ速度を減ずるように制御する録画制御部とを有し、上記カメラ本体部が、ビデオ変換部と、カメラ制御部と、電源部とを有し、上記カメラテーブルの太さが上記録画部から出力される画素データ速度に依存する十分取扱い易い細さであることを特徴とする分離型高速度ビデオカメラ。
【考案の詳細な説明】
【技術分野】
【０００１】
本考案は記録媒体として半導体メモリを使用した高速度ビデオカメラにおいて、カメラヘッドとカメラ本体部の２つのユニットに分けた形態をとる分離型カメラに関する。
【背景技術】
【０００２】
図２に示すように、従来の分離型高速度カメラは撮像素子部３とカメラ本体インターフェース部５とより成るカメラヘッド１と、半導体メモリの録画部１３、録画制御とカメラ制御を行う制御部１４、ビデオ変換部８、カメラケーブルインターフェース部７、入出力インターフェース部１１、電源部１２などから成るカメラ本体部２とによって構成されている。なお、９はビデオ信号である。カメラヘッド１は、撮像素子部３を有するのみであった。分離型高速度カメラの主旨はカメラヘッド１の大きさが小さいことと、カメラヘッド１とカメラ本体部２を接続するカメラケーブル６が取り扱いし易い太さであることである。
【考案の概要】
【考案が解決しようとする課題】
【０００３】
技術の進歩とともに、高速度ビデオカメラには高い画素データ速度の映像が求められるようになった。画素データ速度とは撮像素子の画素数と撮影速度との積で決まるカメラまたは撮像素子の能力を意味する。
【０００４】
より高い画素データ速度で出力する撮像素子を使った分離型高速度カメラを実現させようとした場合、カメラケーブル中の信号線の数を増やせばケーブルは太くなって曲げにくくなり、あるいは、ケーブル中の線材１対当たりのデータ転送速度を高めれば使用できるケーブル長は短くなってしまう。いずれにしても、カメラケーブルの取り扱いが難しく、分離型高速度ビデオカメラは成り立たなくなる。例えば、６４０ｘ４８０画素で１０００コマ／秒の撮像素子を使った分離型高速度カメラの場合、画素データ速度は６４０ｘ４８０ｘ１０００ｘ８ビット＝約２．５ギガビット毎秒である。この信号が通るカメラケーブル６の太さは約１０ｍｍであり、取り扱える範囲なので、図２の構成が成り立つ。しかしながら、１２８０ｘ１０２４画素で１０００コマ／秒の撮像素子を使った分離型高速度カメラの場合、画素データ速度は１２８０ｘ１０２４ｘ１０００ｘ８ビット＝約１０ギガビット毎秒となる。この分離型高速度カメラを図２の構成で実現しようとすると、画素データ速度は先に示した分離型高速度カメラの４倍以上となり、単純計算でカメラケーブル６は２倍の太さになり取り扱いが困難となる。
【０００５】
本考案は上記の欠点を除くようにしたものである。
【課題を解決するための手段】
【０００６】
本考案の分離型高速度ビデオカメラは、カメラ本体部２にあった録画部１３をカメラヘッド１に移し、高い画素データ速度で出力する撮像素子部３と撮影時間中のすべての動画画像を記録する大容量の半導体メモリの録画部およびその制御部４を有するカメラヘッドにすることを特徴とする。
【０００７】
また、本考案の分離型高速度ビデオカメラは、カメラヘッド１に対し、カメラ制御部１０と、ビデオ変換部８と、電源部１２と、カメラケーブルインターフェイス部７と、ビデオ変換部８と、入出力インターフェース部１１などを有するカメラ本体部２を接続し、カメラケーブル６を取扱い易い太さにすることを特徴とする。
【考案の効果】
【０００８】
本考案の構成にすることにより、すなわち、高い画素データ速度で出力する撮像素子の映像を一旦カメラヘッド１内の録画部４に記録することにより、カメラヘッド１とカメラ本体部２間の画素データ速度を減らすことができ、その結果、カメラケーブル６の太さは十分取扱い易い細さになり、高い画素データ速度で出力する撮像素子を使った分離型高速度ビデオカメラを実現できる。
【０００９】
録画部４を追加したカメラヘッド１は、近年の半導体技術の進歩によりメモリＩＣを数個搭載するだけで、十分なメモリ容量が得られかつ小型の要求にも応えられる。カメラヘッド１が録画部４を有することは、カメラヘッド１の大きさが小さいと言う分離型高速度カメラの主旨に反するものではない。
【００１０】
カメラケーブル６の太さや長さは撮像素子の画素データ速度に依存せず、カメラヘッド１とカメラ本体部２間のインターフェースに依存するのみである。従って、同じインターフェース５を有するカメラヘッド１であれば、異なった画素データ速度の様々な撮像素子を使ったカメラヘッド１であっても、同じカメラ本体部２に接続することができる。
【図面の簡単な説明】
【００１１】
【図１】本考案の分離型高速度ビデオカメラの基本ブロック図である。
【図２】従来の分離型高速度ビデオカメラの基本ブロック図である。
【考案を実施するための形態】
【００１２】
以下図面によって本考案の実施例を説明する。本考案においては図１に示すように図２に示す従来のカメラ本体部２にあった録画部１３をカメラヘッド１に移し、撮像素子部３と半導体メモリの録画部およびその録画制御部４を有するカメラヘッド１にする。本考案によれば、カメラケーブル６を通る画素データ速度はカメラ本体部２のビデオ変換部８へのビデオ信号で良く、最大でもハイビジョンのビデオ信号程度である。すなわち、画素データ速度は１９２０ｘ１０８０ｘ６０コマ／秒ｘ８ビット＝約１ギガビット毎秒である。この画素データ速度は先に示した分離型カメラのそれよりも低いので、カメラケーブル６は十分細く、取扱い易い。上記のように、本考案の分離型高速度ビデオカメラは撮像素子の画素データ速度に影響されずに、１２８０ｘ１０２４画素で１０００コマ／秒を越える画素データ速度の撮像素子であっても、製作可能である。
【００１３】
現在、メモリＩＣは１６ギガビットの容量の製品が販売されている。即ち、カメラヘッド１は、このメモリＩＣを２個使うだけで、４ギガバイトの大容量の録画部を持つことができる。４ギガバイトは１２８０ｘ１０２４画素で１０００コマ／秒の映像を約３秒記録することができる値なので、十分な容量である。また、ＩＣを２個使用する録画部を追加しても、カメラヘッドは撮像素子部だけを有する場合と大差ない大きさで実現できる。
【符号の説明】
【００１４】
１ カメラヘッド
２ カメラ本体部
３ 撮像素子部
４ 録画部と録画制御部
５ カメラ本体インターフェース部
６ カメラケーブル
７ カメラケーブルインターフェース部
８ ビデオ変換部
９ ビデオ信号
１０ カメラ制御部
１１ 入出力インターフェース部
１２ 電源部
１３ 録画部
１４ 録画制御部とカメラ制御部
【図１】
0003213024.tif 000003
【図２】
0003213024.tif 000004